(57)【要約】【課題】短時間で信頼性の高いパス監視の設定を実現すること。【解決手段】Ｉ／Ｆ部１０１−１〜１０１−４は、それぞれ他のスイッチ装置や端末装置に接続され、これらの他装置との間でシグナリングメッセージやパケットをやり取りする。経路設定部１０２は、シグナリングメッセージに含まれるパケット転送の送信元アドレスおよび宛先アドレスを参照し、パケットを転送するパスを決定する。パス監視制御部１０４は、シグナリングメッセージに含まれるパス監視情報を参照するとともに、監視方式記憶部１０５および所属エリア記憶部１０６を参照してパス監視の設定を行う。監視方式記憶部１０５は、各Ｉ／Ｆ部１０１−１〜１０１−４におけるパス監視の監視方式を記憶する。所属エリア記憶部１０６は、各Ｉ／Ｆ部１０１−１〜１０１−４が所属するネットワークのエリアを記憶している。【選択図】        図２
2008199311.tif 000002
【特許請求の範囲】
【請求項１】
信号の通信経路を切り替えるスイッチ装置であって、
信号の送信元および送信先の情報を含むシグナリングメッセージを受信する受信手段と、
前記受信手段によって受信されたシグナリングメッセージが指定する送信元から送信先への通信経路を決定する決定手段と、
前記受信手段によって受信されたシグナリングメッセージに含まれるパス監視情報に基づいて前記決定手段によって決定された通信経路の監視に関する設定を行う設定手段と、
前記設定手段による設定が反映されたシグナリングメッセージを前記決定手段によって決定された通信経路上へ送信する送信手段と
を有することを特徴とするスイッチ装置。
【請求項２】
前記設定手段は、
前記受信手段および前記送信手段が所属するネットワーク内の領域に応じて通信経路の監視時の始点および終点を設定することを特徴とする請求項１記載のスイッチ装置。
【請求項３】
前記設定手段は、
前記受信手段および前記送信手段に対応する監視方式を記憶する記憶手段を含み、
パス監視情報によって指定される監視方式を前記記憶手段に記憶させることを特徴とする請求項１記載のスイッチ装置。
【請求項４】
前記設定手段によって行われた設定で通信経路の監視を実行した場合に、監視結果を通知する通知手段をさらに有することを特徴とする請求項１記載のスイッチ装置。
【請求項５】
前記通知手段は、
監視方式に応じた監視結果の通知先を保持し、実行された監視において採用された監視方式に対応する通知先へ監視結果を通知することを特徴とする請求項４記載のスイッチ装置。
【請求項６】
信号の通信経路を切り替えるスイッチ装置におけるパス監視設定方法であって、
信号の送信元および送信先の情報を含むシグナリングメッセージを受信する受信工程と、
前記受信工程にて受信されたシグナリングメッセージが指定する送信元から送信先への通信経路を決定する決定工程と、
前記受信工程にて受信されたシグナリングメッセージに含まれるパス監視情報に基づいて前記決定工程にて決定された通信経路の監視に関する設定を行う設定工程と、
前記設定工程における設定が反映されたシグナリングメッセージを前記決定工程にて決定された通信経路上へ送信する送信工程と
を有することを特徴とするパス監視設定方法。
【発明の詳細な説明】
【技術分野】
【０００１】
本発明は、信号の通信経路を切り替えるスイッチ装置およびパス監視設定方法に関し、特に、短時間で信頼性の高いパス監視の設定を実現することができるスイッチ装置およびパス監視設定方法に関する。
【背景技術】
【０００２】
近年、例えばＭＰＬＳ（Multi-Protocol Label Switching）やＧＭＰＬＳ（Generalized MPLS）などと呼ばれる通信経路（パス）設定方式の検討が盛んに行われている（例えば特許文献１参照）。これらの方式においては、シグナリングメッセージが受信された例えばルータなどのスイッチ装置において、シグナリングプロトコル（例えばＲＳＶＰ（Resource reSerVation Protocol）およびＲＳＶＰ−ＴＥ（RSVP-Traffic Engineering）など）やルーチングプロトコル（例えばＯＳＰＦ（Open Shortest Path First）およびＯＳＰＦ−ＴＥ（OSPF-Traffic Engineering）など）を使用した通信の経路計算が行われる。そして、計算された経路上の次のスイッチ装置へシグナリングメッセージが送信され、同様に経路計算が行われる。
【０００３】
このように、ＭＰＬＳやＧＭＰＬＳなどの方式では、スイッチ装置が独自に効率的な通信経路を計算し、信号の送信元から宛先までのパス設定が行われる。このため、オペレータなどがあらかじめパス設定をする必要がなく、状況に応じて最適なパスを短時間で設定することが可能となっている。
【０００４】
【特許文献１】特開２００４−８０２１１号公報
【発明の開示】
【発明が解決しようとする課題】
【０００５】
しかしながら、上述のような方式においては、パス設定が容易に行われるものの、設定後の各パスの管理については、手動での設定が必要となるという問題がある。すなわち、設定された各パスが正常に接続されているかなどについては、ネットワークを管理する管理システムからオペレータがパス上のスイッチ装置に所定の設定を行い、導通試験などを実行する必要がある。このため、パスの監視には時間と労力を要し、パス設定のように容易に実行することができない。
【０００６】
また、大規模なネットワークなどにおいては、オペレータが多くのスイッチ装置の設定を手動で行うため、人為的なミスが発生する虞があり、パス監視の信頼性にも一定の限界がある。
【０００７】
本発明はかかる点に鑑みてなされたものであり、短時間で信頼性の高いパス監視の設定を実現することができるスイッチ装置およびパス監視設定方法を提供することを目的とする。
【課題を解決するための手段】
【０００８】
上記課題を解決するために、本発明は、信号の通信経路を切り替えるスイッチ装置であって、信号の送信元および送信先の情報を含むシグナリングメッセージを受信する受信手段と、前記受信手段によって受信されたシグナリングメッセージが指定する送信元から送信先への通信経路を決定する決定手段と、前記受信手段によって受信されたシグナリングメッセージに含まれるパス監視情報に基づいて前記決定手段によって決定された通信経路の監視に関する設定を行う設定手段と、前記設定手段による設定が反映されたシグナリングメッセージを前記決定手段によって決定された通信経路上へ送信する送信手段とを有することを特徴とする。
【０００９】
また、本発明は、上記発明において、前記設定手段は、前記受信手段および前記送信手段が所属するネットワーク内の領域に応じて通信経路の監視時の始点および終点を設定することを特徴とする。
【００１０】
また、本発明は、上記発明において、前記設定手段は、前記受信手段および前記送信手段が所属するネットワーク内の領域が異なる場合に、前記受信手段を監視時の終点に設定し、前記送信手段を監視時の始点に設定することを特徴とする。
【００１１】
また、本発明は、上記発明において、前記設定手段は、前記受信手段および前記送信手段が所属するネットワーク内の領域が同一である場合に、前記受信手段および前記送信手段を監視時の中継点に設定することを特徴とする。
【００１２】
また、本発明は、上記発明において、前記設定手段は、前記受信手段および前記送信手段に対応する監視方式を記憶する記憶手段を含み、パス監視情報によって指定される監視方式を前記記憶手段に記憶させることを特徴とする。
【００１３】
また、本発明は、上記発明において、前記記憶手段は、初期状態ではあらかじめ記憶されたデフォルトの監視方式を記憶することを特徴とする。
【００１４】
また、本発明は、上記発明において、前記設定手段によって行われた設定で通信経路の監視を実行した場合に、監視結果を通知する通知手段をさらに有することを特徴とする。
【００１５】
また、本発明は、上記発明において、前記通知手段は、監視方式に応じた監視結果の通知先を保持し、実行された監視において採用された監視方式に対応する通知先へ監視結果を通知することを特徴とする。
【００１６】
また、本発明は、上記発明において、前記受信手段は、通信経路の監視を実行するか否かを示す実行フラグを格納したパス監視情報を含むシグナリングメッセージを受信することを特徴とする。
【００１７】
また、本発明は、上記発明において、前記送信手段は、通信経路の監視が完了したか否かを示す完了フラグを格納したパス監視情報を含むシグナリングメッセージを送信することを特徴とする。
【００１８】
また、本発明は、上記発明において、前記送信手段は、通信経路の監視結果を格納したパス監視情報を含むシグナリングメッセージを送信することを特徴とする。
【００１９】
また、本発明は、上記発明において、前記送信手段は、通信経路の監視結果の通知先を格納したパス監視情報を含むシグナリングメッセージを送信することを特徴とする。
【００２０】
また、本発明は、信号の通信経路を切り替えるスイッチ装置におけるパス監視設定方法であって、信号の送信元および送信先の情報を含むシグナリングメッセージを受信する受信工程と、前記受信工程にて受信されたシグナリングメッセージが指定する送信元から送信先への通信経路を決定する決定工程と、前記受信工程にて受信されたシグナリングメッセージに含まれるパス監視情報に基づいて前記決定工程にて決定された通信経路の監視に関する設定を行う設定工程と、前記設定工程における設定が反映されたシグナリングメッセージを前記決定工程にて決定された通信路上へ送信する送信工程とを有することを特徴とする。
【発明の効果】
【００２１】
本発明によれば、信号の送信元および送信先の情報を含むシグナリングメッセージを受信し、受信されたシグナリングメッセージが指定する送信元から送信先への通信経路を決定し、受信されたシグナリングメッセージに含まれるパス監視情報に基づいて通信経路の監視に関する設定を行い、設定が反映されたシグナリングメッセージを通信経路上へ送信する。このため、パス設定と同時にこのパスの監視に関する設定も自動で行われ、手動でパス監視の設定をする必要がなく、短時間で信頼性の高いパス監視の設定を実現することができる。
【００２２】
また、本発明によれば、シグナリングメッセージの受信インタフェースおよび送信インタフェースが所属するネットワーク内の領域に応じて通信経路の監視時の始点および終点を設定する。このため、例えばネットワークが複数のエリアやドメインなどの領域に分割される場合に、これらの領域の情報からパス監視の始点および終点を設定することができる。
【００２３】
また、本発明によれば、受信インタフェースおよび送信インタフェースが所属するネットワーク内の領域が異なる場合に、受信インタフェースを監視時の終点に設定し、送信インタフェースを監視時の始点に設定する。このため、領域の境界に位置するスイッチ装置において、インタフェースごとにパス監視の始点および終点を設定することができる。
【００２４】
また、本発明によれば、受信インタフェースおよび送信インタフェースが所属するネットワーク内の領域が同一である場合に、受信インタフェースおよび送信インタフェースを監視時の中継点に設定する。このため、領域の中央に位置するスイッチ装置において、シグナリングメッセージを入出力するインタフェースを同一のパス監視の対象に設定することができる。
【００２５】
また、本発明によれば、受信インタフェースおよび送信インタフェースに対応する監視方式を記憶するメモリに、パス監視情報によって指定される監視方式を記憶させるため、シグナリングメッセージを入出力するインタフェースごとに個別に監視方式を設定することができる。
【００２６】
また、本発明によれば、初期状態ではあらかじめ記憶されたデフォルトの監視方式を記憶するため、パス監視情報によって監視方式が指定されない場合でも、デフォルトの監視方式でパス監視を実行することができる。
【００２７】
また、本発明によれば、設定された通信経路の監視を実行した場合に、監視結果を通知するため、例えばネットワークを管理する管理システムなどにパス監視の結果を通知することができる。
【００２８】
また、本発明によれば、監視方式に応じた監視結果の通知先を保持し、実行された監視において採用された監視方式に対応する通知先へ監視結果を通知するため、採用された監視方式に合わせて、管理システムやパス監視の始点および終点などの監視結果の通知先を変更することができる。
【００２９】
また、本発明によれば、通信経路の監視を実行するか否かを示す実行フラグを格納したパス監視情報を含むシグナリングメッセージを受信するため、パス監視を実行するか否かをパス設定時のシグナリングメッセージによって設定することができる。
【００３０】
また、本発明によれば、通信経路の監視が完了したか否かを示す完了フラグを格納したパス監視情報を含むシグナリングメッセージを送信するため、パス監視が完了したか否かをパス設定時のシグナリングメッセージによって他装置へ通知することができる。
【００３１】
また、本発明によれば、通信経路の監視結果を格納したパス監視情報を含むシグナリングメッセージを送信するため、パス監視の監視結果をパス設定時のシグナリングメッセージによって他装置へ通知することができる。
【００３２】
また、本発明によれば通信経路の監視結果の通知先を格納したパス監視情報を含むシグナリングメッセージを送信するため、監視結果の通知先をパス設定時のシグナリングメッセージによって他装置へ通知することができる。
【発明を実施するための最良の形態】
【００３３】
以下、本発明の一実施の形態について、図面を参照して詳細に説明する。以下においては、ＭＰＬＳやＧＭＰＬＳなどにおけるシグナリングメッセージを受け取ったスイッチ装置がそれぞれシグナリングプロトコルにより独自にパス設定を行う場合について説明するが、本発明は、所定のメッセージを受け取ったスイッチ装置が独自に通信のパスを設定する場合には適用可能である。また、以下においては、例えばイーサネット（登録商標）やレイヤ２におけるパケット転送を例に挙げて説明するが、スイッチ装置がＴＤＭ（Time Division Multiplexing：時分割多重）におけるフレームやＷＤＭ（Wavelength Division Multiplexing：波長分割多重）における光波長などの通信経路を切り替える場合にも本発明を適用することができる。
【００３４】
図１は、本発明の一実施の形態に係るネットワーク構成の例を示す図である。同図に示すネットワークにおいては、３つの端末装置Ｔ１〜Ｔ３がスイッチ装置１００−１〜１００−６を介して接続されている。そして、例えば端末装置Ｔ１から端末装置Ｔ３へパケットを転送する場合には、パケット転送に先立って、端末装置Ｔ１からパス設定のためのシグナリングメッセージがスイッチ装置１００−１へ送信される。スイッチ装置１００−１では、シグナリングメッセージが受信されると、端末装置Ｔ３へパケットを転送するのに効率が良いパスが選択され、選択されたパス上にあるスイッチ装置へシグナリングメッセージが送信される。ここでは、スイッチ装置１００−３へシグナリングメッセージが送信されるものとする。
【００３５】
また、スイッチ装置１００−１においては、シグナリングメッセージが受信されると、選択されたパスの監視を行うための設定が行われる。すなわち、スイッチ装置１００−１が所属するネットワークのエリアや規定された監視方式などがスイッチ装置１００−１に設定される。この設定については、後に詳述する。
【００３６】
そして、スイッチ装置１００−３によってシグナリングメッセージが受信されると、スイッチ装置１００−１と同様に、パスの選択が行われるとともに、パス監視の設定が行われる。このように、スイッチ装置１００−１〜１００−６は、シグナリングメッセージを受信すると、それぞれ効率の良いパスを決定するとともにパス監視の設定を行い、パス上の次のスイッチ装置１００−１〜１００−６へシグナリングメッセージを送信する。これにより、端末装置Ｔ１から端末装置Ｔ３への効率が良いパス設定が行われるとともに、定期的に行われる導通試験などのパス監視に関する設定が完了する。
【００３７】
図２は、本実施の形態に係るスイッチ装置１００の要部構成を示すブロック図である。同図に示すスイッチ装置１００は、図１に示すスイッチ装置１００−１〜１００−６と同様の構成を有している。すなわち、スイッチ装置１００は、インタフェース部（以下「Ｉ／Ｆ部」と略記する）１０１−１〜１０１−４、経路設定部１０２、切替部１０３、パス監視制御部１０４、監視方式記憶部１０５、所属エリア記憶部１０６、および監視結果通知部１０７を有している。
【００３８】
Ｉ／Ｆ部１０１−１〜１０１−４は、それぞれ他のスイッチ装置や端末装置に接続され、これらの他装置との間でシグナリングメッセージやパケットをやり取りする。そして、Ｉ／Ｆ部１０１−１〜１０１−４は、他装置からシグナリングメッセージを受信すると、このシグナリングメッセージを経路設定部１０２およびパス監視制御部１０４へ出力する。
【００３９】
ここで、本実施の形態に係るシグナリングメッセージは、例えば図３に示すようなフォーマットとなっている。すなわち、本実施の形態に係るシグナリングメッセージには、パケットの送信元および宛先を示す送信元アドレスおよび宛先アドレスと、パケットの転送に使用する使用帯域と、パス監視に関する情報が格納されたパス監視情報とが含まれている。そして、パス監視情報には、パス監視の始点となる装置の始点アドレスと、パス監視の中継点となる装置の中継点アドレスと、パス監視の終点となる装置の終点アドレスと、始点から終点におけるパス監視の監視方式とが含まれている。パス監視情報に格納される情報は、後述するパス監視制御部１０４によって随時更新される。
【００４０】
また、Ｉ／Ｆ部１０１−１〜１０１−４は、他装置からデータのパケットを受信すると、このパケットを切替部１０３へ出力する。さらに、Ｉ／Ｆ部１０１−１〜１０１−４は、切替部１０３から出力されたパケットおよびパス監視制御部１０４から出力されたシグナリングメッセージを、接続された他装置へ送信する。なお、本実施の形態においては、スイッチ装置１００がＩ／Ｆ部１０１−１〜１０１−４の４つのインタフェース部を有するものとしたが、２つ以上であればスイッチ装置１００のインタフェース部の数は任意で良い。
【００４１】
経路設定部１０２は、シグナリングメッセージに含まれるパケット転送の送信元アドレスおよび宛先アドレスを参照し、例えばＲＳＶＰやＲＳＶＰ−ＴＥなどのシグナリングプロトコルを用いて、パケットを転送するのに効率が良いパスを決定する。そして、経路設定部１０２は、決定したパス上において、次にパケットを転送することになるスイッチ装置または端末装置を切替部１０３およびパス監視制御部１０４へ通知する。
【００４２】
切替部１０３は、Ｉ／Ｆ部１０１−１〜１０１−４から出力されたパケットを経路設定部１０２から通知された他装置に接続されたＩ／Ｆ部１０１−１〜１０１−４へ出力して、パケットの転送先を適切に切り替える。
【００４３】
パス監視制御部１０４は、Ｉ／Ｆ部１０１−１〜１０１−４からシグナリングメッセージが出力されると、このシグナリングメッセージに含まれるパス監視情報を参照するとともに、監視方式記憶部１０５および所属エリア記憶部１０６を参照して、経路設定部１０２によって決定されたパスにおけるパス監視の設定を行う。
【００４４】
具体的には、パス監視制御部１０４は、まず、他装置からシグナリングメッセージが入力されたＩ／Ｆ部および他装置へシグナリングメッセージを出力するＩ／Ｆ部がそれぞれパス監視の始点、中継点、または終点のどれに相当するか判断する。このとき、パス監視制御部１０４は、所属エリア記憶部１０６を参照し、シグナリングメッセージを入出力するＩ／Ｆ部が同一のエリアに所属しているか否かを確認し、同一エリアに所属していれば、これらのＩ／Ｆ部が中継点に相当すると判断し、同一エリアに所属していなければ入力Ｉ／Ｆ部を終点、出力Ｉ／Ｆ部を始点と判断する。そして、パス監視制御部１０４は、シグナリングメッセージ内のパス監視情報において、始点アドレス、中継点アドレス、および終点アドレスを更新する。
【００４５】
また、パス監視制御部１０４は、シグナリングメッセージ内のパス監視情報に格納された監視方式を参照し、それぞれのＩ／Ｆ部を通過するパスに対する監視方式を設定する。すなわち、パス監視制御部１０４は、パス監視情報に格納された監視方式をそれぞれのＩ／Ｆ部１０１−１〜１０１−４に対応付けて監視方式記憶部１０５に記憶させる。その後、パス監視制御部１０４は、始点アドレス、中継点アドレス、および終点アドレスが更新されたシグナリングメッセージを経路設定部１０２から通知された他装置に接続されたＩ／Ｆ部１０１−１〜１０１−４へ出力する。
【００４６】
さらに、パス監視制御部１０４は、上記のように設定されたパス監視を実際に実行し、監視の結果を監視結果通知部１０７へ出力する。なお、パス監視制御部１０４は、パス監視実行後、監視結果を監視対象のパスの始点や終点などへ通知しても良い。監視結果の通知先は、後述するように、監視結果通知部１０７に記憶されている。
【００４７】
監視方式記憶部１０５は、各Ｉ／Ｆ部１０１−１〜１０１−４におけるパス監視の監視方式を記憶する。具体的には、監視方式記憶部１０５は、例えば図４に示すように、監視方式の一覧を有しており、それぞれのＩ／Ｆ部１０１−１〜１０１−４においてどの監視方式を採用するか記憶する。このとき、監視方式記憶部１０５は、例えばすべてのＩ／Ｆ部１０１−１〜１０１−４における監視方式のデフォルトを「ＯＴＮ−ＴＣＭ（Optical Transport Network-Tandem Connection Monitoring）」としておき、シグナリングメッセージ内のパス監視情報によって監視方式が指定されている場合には、指定された監視方式に変更する。図４においては、Ｉ／Ｆ部１０１−４の監視方式がシグナリングメッセージによって「導通試験」に指定された場合を示している。
【００４８】
所属エリア記憶部１０６は、スイッチ装置１００の各Ｉ／Ｆ部１０１−１〜１０１−４が所属するネットワークのエリアを記憶しており、パス監視制御部１０４によるパス監視の設定が行われる際に、パス上のＩ／Ｆ部の所属エリアをパス監視制御部１０４へ通知する。本実施の形態において、大規模なネットワークにスイッチ装置１００が設置される場合、例えば図５に示すように、ネットワークが複数のエリアに分割されることがある。これらのエリア内では、それぞれのスイッチ装置によってパケットの詳細なルーティング情報がやり取りされるのに対し、エリア間では、詳細なルーティング情報がやり取りされることがない。
【００４９】
図５においては、スイッチ装置１００−１、１００−３、および１００−５がそれぞれエリア１およびエリア２の境界に位置し、これらのスイッチ装置においては、シグナリングメッセージが入力されるＩ／Ｆ部とシグナリングメッセージを出力するＩ／Ｆ部とが異なるエリアに属しており、それぞれのＩ／Ｆ部がパス監視の終点および始点となる。すなわち、図５においては、スイッチ装置１００−１、１００−２、１００−３におけるパス監視とスイッチ装置１００−３、１００−４、１００−５におけるパス監視とが別々に行われることになる。
【００５０】
所属エリア記憶部１０６は、それぞれのＩ／Ｆ部１０１−１〜１０１−４の所属エリアを例えば図６に示すような形式で記憶している。各Ｉ／Ｆ部１０１−１〜１０１−４の所属エリアが図６に示すような状態であるとき、Ｉ／Ｆ部１０１−１とＩ／Ｆ部１０１−２の組み合わせでシグナリングメッセージが入出力される場合には、これらのＩ／Ｆ部はパス監視の中継点となるが、その他の組み合わせでシグナリングメッセージが入出力される場合には、入力されたＩ／Ｆ部がパス監視の終点となり、出力するＩ／Ｆ部がパス監視の始点となる。
【００５１】
なお、ネットワークが複数のドメインに分割されている場合には、所属エリア記憶部１０６は、スイッチ装置１００が所属するドメインを記憶するとともに、各Ｉ／Ｆ部１０１−１〜１０１−４に接続される他装置が所属するドメインを記憶する。こうすることにより、スイッチ装置１００がドメインに属しており、すべてのＩ／Ｆ部１０１−１〜１０１−４が同一ドメインに属していることになる場合でも、接続される他装置の所属ドメインによって各Ｉ／Ｆ部１０１−１〜１０１−４がドメインの境界に位置するか否かを判断することが可能となる。
【００５２】
監視結果通知部１０７は、パス監視制御部１０４によってパス監視が実行されると、監視結果を管理システムへ通知する。このとき、監視結果通知部１０７は、例えば図７に示すように、監視方式ごとに監視結果を通知する通知先を記憶しており、通知先に管理システムが含まれる監視方式が採用されている場合にのみ、監視結果を管理システムへ通知する。したがって、図７に示す例においては、監視結果通知部１０７は、「導通試験」または「ＰＭ（Path Monitoring）監視」が監視方式として採用されているパス監視が行われた場合にのみ、監視結果を管理システムへ通知する。
【００５３】
次いで、上記のように構成されたスイッチ装置におけるパス監視設定時の動作について、図８に示すフロー図を参照しながら説明する。
【００５４】
まず、パス設定およびパス監視の設定が完了した他装置からシグナリングメッセージが送信されると、この他装置に接続されたＩ／Ｆ部によって、シグナリングメッセージが受信される（ステップＳ１０１）。ここでは、Ｉ／Ｆ部１０１−１によってシグナリングメッセージが受信されたものとする。受信されたシグナリングメッセージは、Ｉ／Ｆ部１０１−１から経路設定部１０２およびパス監視制御部１０４へ出力される。
【００５５】
シグナリングメッセージが経路設定部１０２へ出力されると、経路設定部１０２によって、シグナリングメッセージに含まれる送信元アドレスおよび宛先アドレスが参照され、送信元アドレスから宛先アドレスへパケットを転送する際の最も効率的なパスが決定される。そして、決定されたパスが切替部１０３へ通知されることにより、パケット転送時の経路が設定される（ステップＳ１０２）。また、経路設定部１０２によって決定されたパスは、パス監視制御部１０４へも通知される。ここでは、決定されたパスにおいては、シグナリングメッセージおよびパケットがＩ／Ｆ部１０１−２に接続された他装置へ送信されるものとする。
【００５６】
そして、決定されたパスが通知されると、パス監視制御部１０４によって、パス上のＩ／Ｆ部１０１−１、１０１−２それぞれが所属するエリアが所属エリア記憶部１０６から読み出され、他装置からシグナリングメッセージおよびパケットが入力されるＩ／Ｆ部１０１−１と他装置へシグナリングメッセージおよびパケットを出力するＩ／Ｆ部１０１−２との所属エリアが同一であるか否かが判定される（ステップＳ１０３）。
【００５７】
この結果、両者の所属エリアが同一であれば（ステップＳ１０３Ｙｅｓ）、スイッチ装置１００はパス監視の中継点であることが分かり、パス監視制御部１０４によって、スイッチ装置１００のアドレスがシグナリングメッセージ内の中継点アドレスに追加される（ステップＳ１０４）。一方、シグナリングメッセージを入出力するＩ／Ｆ部１０１−１、１０１−２の所属エリアが同一でなければ（ステップＳ１０３Ｎｏ）、スイッチ装置１００はエリアの境界に位置するためパス監視の終点および始点であることが分かり、パス監視制御部１０４によって、スイッチ装置１００のアドレスが受信されたシグナリングメッセージ内の終点アドレスに追加されるとともに、スイッチ装置１００のアドレスが始点アドレスとされたシグナリングメッセージが新たに生成される（ステップＳ１０５）。なお、生成されたシグナリングメッセージは、パス監視情報以外は受信されたシグナリングメッセージと同一の情報を格納している。
【００５８】
その後、パス監視制御部１０４によって、シグナリングメッセージ内の監視方式が参照され、シグナリングメッセージが入力されたＩ／Ｆ部１０１−１を含むパスの監視方式が監視方式記憶部１０５に記憶される。このとき、シグナリングメッセージによって監視方式が指定されていなければ、監視方式記憶部１０５には、それぞれのＩ／Ｆ部１０１−１〜１０１−４に対する監視方式としてデフォルトの方式が記憶されている。したがって、パス監視制御部１０４によって、シグナリングメッセージによって指定される監視方式がデフォルトの方式であるか否かが判定され（ステップＳ１０６）、デフォルトの方式以外の方式が指定された場合にのみ（ステップＳ１０６Ｎｏ）、シグナリングメッセージを受信したＩ／Ｆ部１０１−１を含むパスの監視方式を監視方式記憶部１０５に設定すれば良い（ステップＳ１０７）。
【００５９】
そして、パス監視制御部１０４によって始点アドレス、中継点アドレス、または終点アドレスが更新されたシグナリングメッセージが経路設定部１０２によって決定されたパス上の次の他装置に接続されたＩ／Ｆ部１０１−２へ出力され、このＩ／Ｆ部１０１−２からシグナリングメッセージが送信される。これにより、スイッチ装置１００のＩ／Ｆ部１０１−１、１０１−２を含むパスのパス監視に関する設定が完了したことになる。すなわち、Ｉ／Ｆ部１０１−１、１０１−２がパス監視の始点、中継点、および終点のどれに相当するかが設定されるとともに、それぞれのＩ／Ｆ部１０１−１、１０１−２における監視方式が設定される。
【００６０】
パス監視の設定が完了した後、パス監視制御部１０４によって、実際のパス監視が実行される（ステップＳ１０８）。この際には、パス監視の設定の際に判断されたパス監視の始点から終点までを単位として、監視方式記憶部１０５によって記憶された監視方式でパス監視が実行される。パス監視の結果は、監視結果通知部１０７へ通知され、監視方式が管理システムへの監視結果の通知を要求するものである場合には、監視結果が監視結果通知部１０７によって管理システムへ通知される。また、監視結果の通知先としてパス監視の始点や終点が指定される監視方式が採用される場合には、パス監視制御部１０４によって、監視結果が始点や終点へ通知される（ステップＳ１０９）。
【００６１】
以上のように、本実施の形態によれば、パス設定のためのシグナリングメッセージの受信を契機として、パス監視の始点、中継点、および終点の設定や監視方式などスイッチ装置におけるパス監視の設定を実行する。このため、パケットが転送されるパス設定と同時にこのパスの監視に関する設定も自動で行われ、手動でパス監視の設定をする必要がなく、短時間で信頼性の高いパス監視の設定を実現することができる。
【００６２】
なお、上記一実施の形態においては、シグナリングメッセージ内のパス監視情報に始点アドレス、中継点アドレス、終点アドレス、および監視方式が格納されるものとしたが、本発明のパス監視情報は、これに限定されない。
【００６３】
例えば図９に示すように、パス監視を実行するか否かの実行フラグをパス監視情報に格納し、それぞれの始点から終点におけるパス監視を実行するか否かをシグナリングメッセージによって選択が可能なようにしても良い。また、パス監視を実行する場合に、パス監視が完了したか否かを示す完了フラグをパス監視情報に格納し、パス監視の完了が始点や終点などへ通知されるようにしても良い。
【００６４】
さらに、例えば図１０に示すように、パス監視の監視結果をパス監視情報に格納し、監視結果が始点や終点などへ通知されるようにしても良く、監視結果の通知先をパス監視情報に格納し、このパス監視情報を含むシグナリングメッセージを受信したスイッチ装置が監視結果を含むシグナリングメッセージの送信先を判断するようにしても良い。
【００６５】
また、これらのパス監視情報は、始点から終点へ向かって伝送されるシグナリングメッセージのみではなく、シグナリングメッセージに対する応答として終点から始点へ向かって伝送される応答用のシグナリングメッセージに含まれるようにしても良い。
【００６６】
（付記１）信号の通信経路を切り替えるスイッチ装置であって、
信号の送信元および送信先の情報を含むシグナリングメッセージを受信する受信手段と、
前記受信手段によって受信されたシグナリングメッセージが指定する送信元から送信先への通信経路を決定する決定手段と、
前記受信手段によって受信されたシグナリングメッセージに含まれるパス監視情報に基づいて前記決定手段によって決定された通信経路の監視に関する設定を行う設定手段と、
前記設定手段による設定が反映されたシグナリングメッセージを前記決定手段によって決定された通信経路上へ送信する送信手段と
を有することを特徴とするスイッチ装置。
【００６７】
（付記２）前記設定手段は、
前記受信手段および前記送信手段が所属するネットワーク内の領域に応じて通信経路の監視時の始点および終点を設定することを特徴とする付記１記載のスイッチ装置。
【００６８】
（付記３）前記設定手段は、
前記受信手段および前記送信手段が所属するネットワーク内の領域が異なる場合に、前記受信手段を監視時の終点に設定し、前記送信手段を監視時の始点に設定することを特徴とする付記２記載のスイッチ装置。
【００６９】
（付記４）前記設定手段は、
前記受信手段および前記送信手段が所属するネットワーク内の領域が同一である場合に、前記受信手段および前記送信手段を監視時の中継点に設定することを特徴とする付記２記載のスイッチ装置。
【００７０】
（付記５）前記設定手段は、
前記受信手段および前記送信手段に対応する監視方式を記憶する記憶手段を含み、
パス監視情報によって指定される監視方式を前記記憶手段に記憶させることを特徴とする付記１記載のスイッチ装置。
【００７１】
（付記６）前記記憶手段は、
初期状態ではあらかじめ記憶されたデフォルトの監視方式を記憶することを特徴とする付記５記載のスイッチ装置。
【００７２】
（付記７）前記設定手段によって行われた設定で通信経路の監視を実行した場合に、監視結果を通知する通知手段をさらに有することを特徴とする付記１記載のスイッチ装置。
【００７３】
（付記８）前記通知手段は、
監視方式に応じた監視結果の通知先を保持し、実行された監視において採用された監視方式に対応する通知先へ監視結果を通知することを特徴とする付記７記載のスイッチ装置。
【００７４】
（付記９）前記受信手段は、
通信経路の監視を実行するか否かを示す実行フラグを格納したパス監視情報を含むシグナリングメッセージを受信することを特徴とする付記１記載のスイッチ装置。
【００７５】
（付記１０）前記送信手段は、
通信経路の監視が完了したか否かを示す完了フラグを格納したパス監視情報を含むシグナリングメッセージを送信することを特徴とする付記１記載のスイッチ装置。
【００７６】
（付記１１）前記送信手段は、
通信経路の監視結果を格納したパス監視情報を含むシグナリングメッセージを送信することを特徴とする付記１記載のスイッチ装置。
【００７７】
（付記１２）前記送信手段は、
通信経路の監視結果の通知先を格納したパス監視情報を含むシグナリングメッセージを送信することを特徴とする付記１記載のスイッチ装置。
【００７８】
（付記１３）信号の通信経路を切り替えるスイッチ装置におけるパス監視設定方法であって、
信号の送信元および送信先の情報を含むシグナリングメッセージを受信する受信工程と、
前記受信工程にて受信されたシグナリングメッセージが指定する送信元から送信先への通信経路を決定する決定工程と、
前記受信工程にて受信されたシグナリングメッセージに含まれるパス監視情報に基づいて前記決定工程にて決定された通信経路の監視に関する設定を行う設定工程と、
前記設定工程における設定が反映されたシグナリングメッセージを前記決定工程にて決定された通信経路上へ送信する送信工程と
を有することを特徴とするパス監視設定方法。
【産業上の利用可能性】
【００７９】
本発明は、短時間で信頼性の高いパス監視の設定を実現する場合に適用することができる。
【図面の簡単な説明】
【００８０】
【図１】一実施の形態に係るネットワーク構成の例を示す図である。
【図２】一実施の形態に係るスイッチ装置の要部構成を示すブロック図である。
【図３】一実施の形態に係るシグナリングメッセージの例を示す図である。
【図４】一実施の形態に係る監視方式の例を示す図である。
【図５】一実施の形態に係るエリア分割の例を示す図である。
【図６】一実施の形態に係る所属エリア一覧の例を示す図である。
【図７】一実施の形態に係る監視結果通知先の例を示す図である。
【図８】一実施の形態にスイッチ装置の動作を示すフロー図である。
【図９】他の実施の形態に係るパス監視情報の例を示す図である。
【図１０】さらに他の実施の形態に係るパス監視情報の例を示す図である。
【符号の説明】
【００８１】
１０１−１〜１０１−４  Ｉ／Ｆ部
１０２  経路設定部
１０３  切替部
１０４  パス監視制御部
１０５  監視方式記憶部
１０６  所属エリア記憶部
１０７  監視結果通知部
【図１】
2008199311.tif 000003
【図２】
2008199311.tif 000004
【図３】
2008199311.tif 000005
【図４】
2008199311.tif 000006
【図５】
2008199311.tif 000007
【図６】
2008199311.tif 000008
【図７】
2008199311.tif 000009
【図８】
2008199311.tif 000010
【図９】
2008199311.tif 000011
【図１０】
2008199311.tif 000012